(57)【要約】【課題】全体の色味を変化させることなく、ざらつき度合いを所望のレベルに調整可能な画像形成方法、画像形成装置、プルーフ作成方法、プルーフ作成装置及び画像形成プログラムを提供する。【解決手段】この画像形成方法は、２値のビットマップデータに基づいて画像形成を行う際に、各ドットの画像形成条件に所定の確率で変動を加えて濃度の高い変動点と濃度の低い変動点を形成し、濃度の高い変動点の個数Ｘと濃度の低い変動点の個数Ｙとの関係が０．９≦Ｙ／Ｘ≦１．１を満足するように変動を加える。【選択図】図７
2007310278.tif 000002
【特許請求の範囲】
【請求項１】
２値のビットマップデータに基づいて画像形成を行う画像形成方法において、
各ドットの画像形成条件に所定の確率で変動を加えて濃度の高い変動点と濃度の低い変動点を形成し、
前記濃度の高い変動点の個数Ｘと前記濃度の低い変動点の個数Ｙとの関係が０．９≦Ｙ／Ｘ≦１．１を満足するように前記変動を加えることを特徴とする画像形成方法。
【請求項２】
基準の画像形成条件に対する前記濃度の高い変動点の画像形成条件の差分と前記濃度の低い変動点の画像形成条件の差分とがほぼ同一である請求項１に記載の画像形成方法。
【請求項３】
前記確率及び前記差分の少なくとも一方を変更可能である請求項１または２に記載の画像形成方法。
【請求項４】
前記各変動点の濃度を２段階にそれぞれ設定する請求項１乃至３のいずれか１項に記載の画像形成方法。
【請求項５】
前記変動点が基準濃度部に対して面積比率で１０％乃至３０％の割合で画像全面にほぼ均一に分布するように前記変動点を発生させる請求項１乃至４のいずれか１項に記載の画像形成方法。
【請求項６】
前記変動を複数版の内の少なくとも２版について行う請求項１乃至５のいずれか１項に記載の画像形成方法。
【請求項７】
２値のビットマップデータに基づいて画像形成を行う画像形成装置において、
各ドットの画像形成条件に所定の確率で変動を加えて濃度の高い変動点と濃度の低い変動点を形成し、
前記濃度の高い変動点の個数Ｘと前記濃度の低い変動点の個数Ｙとの関係が０．９≦Ｙ／Ｘ≦１．１を満足するように前記変動を加えることを特徴とする画像形成装置。
【請求項８】
基準の画像形成条件に対する前記濃度の高い変動点の画像形成条件の差分と前記濃度の低い変動点の画像形成条件の差分とがほぼ同一である請求項７に記載の画像形成装置。
【請求項９】
前記確率及び前記差分の少なくとも一方を変更可能である請求項７または８に記載の画像形成装置。
【請求項１０】
前記各変動点の濃度を２段階にそれぞれ設定する請求項７乃至９のいずれか１項に記載の画像形成装置。
【請求項１１】
前記変動点が基準濃度部に対して面積比率で１０％乃至３０％の割合で画像全面にほぼ均一に分布するように前記変動点を発生させる請求項７乃至１０のいずれか１項に記載の画像形成装置。
【請求項１２】
前記変動を複数版の内の少なくとも２版について行う請求項７乃至１１のいずれか１項に記載の画像形成装置。
【請求項１３】
２値のビットマップデータに基づいて画像形成を行うことで印刷物のプルーフを作成するプルーフ作成方法であって、
各ドットの画像形成条件に一定の確率で変動を加えて濃度の高い変動点と濃度の低い変動点を形成し、
前記濃度の高い変動点の個数Ｘと前記濃度の低い変動点の個数Ｙとの関係が０．９≦Ｙ／Ｘ≦１．１を満足するように前記変動を加えることを特徴とするプルーフ作成方法。
【請求項１４】
基準の画像形成条件に対する前記濃度の高い変動点の画像形成条件の差分と前記濃度の低い変動点の画像形成条件の差分とがほぼ同一である請求項１３に記載のプルーフ作成方法。
【請求項１５】
前記確率及び前記差分の少なくとも一方を変えることで前記プルーフに前記印刷物の印刷用紙の種類に対応したざらつき感を付与する請求項１３または１４に記載のプルーフ作成方法。
【請求項１６】
２値のビットマップデータに基づいて画像形成を行うことで印刷物のプルーフを作成するプルーフ作成装置であって、
各ドットの画像形成条件に一定の確率で変動を加えて濃度の高い変動点と濃度の低い変動点を形成し、
前記濃度の高い変動点の個数Ｘと前記濃度の低い変動点の個数Ｙとの関係が０．９≦Ｙ／Ｘ≦１．１を満足するように前記変動を加えることを特徴とするプルーフ作成装置。
【請求項１７】
基準の画像形成条件に対する前記濃度の高い変動点の画像形成条件の差分と前記濃度の低い変動点の画像形成条件の差分とがほぼ同一である請求項１６に記載のプルーフ作成装置。
【請求項１８】
前記確率及び前記差分の少なくとも一方を変えることで前記プルーフに前記印刷物の印刷用紙の種類に対応したざらつき感を付与する請求項１６または１７に記載のプルーフ作成装置。
【請求項１９】
請求項１乃至６のいずれか１項に記載の画像形成方法をコンピュータに実行させるための画像形成プログラム。
【発明の詳細な説明】
【技術分野】
【０００１】
本発明は、２値のビットマップデータに基づいて画像形成を行う画像形成方法、画像形成装置、プルーフ作成方法、プルーフ作成装置及び画像形成プログラムに関する。
【背景技術】
【０００２】
ハロゲン化銀感光材料は、高感度であること、色再現性に優れていること、連続処理に適していることから今日盛んに用いられている。こうした特徴からハロゲン化銀感光材料は、写真の分野のみではなく、印刷の分野でも、印刷の途中の段階で仕上がりの印刷物の状態をチェックするためのいわゆるプルーフの分野で広く用いられるようになってきている。
【０００３】
印刷物のプルーフの分野では、コンピュータ上で編集された画像を印刷用フイルムに出力し、現像済みのフィルムを適宜交換しつつ分解露光することによってイエロー（Ｙ）、マゼンタ（Ｍ）、シアン（Ｃ）の各画像を形成させ、最終印刷物の画像をカラー印画紙上に形成させることにより、最終印刷物のレイアウトや色の適否を判断することが行われていたが、最近では、コンピュータ上で編集された画像を直接印刷版に出力するＣＴＰ（コンピュータツウプレート／Computer To Plate）が徐々に普及してきており、このような場合には、コンピュータ上のデータからフイルムを介することなくプルーフとして直接カラー画像を得ることが望まれていた。
【０００４】
このような目的には、昇華型・溶融熱転写方式や電子写真方式、インクジェット方式等の種々の方式の応用が試みられてきたが、高画質な画像が得られる方式では費用がかかり生産性が劣るという欠点があり、費用が少なくてすみ生産性に優れた方式では画質が劣るという欠点があった。ハロゲン化銀感光材料を用いたシステムでは、優れた鮮鋭性等から、正確な網点画像が形成できるなど高画質な画像形成が可能であり、一方で上述したように連続処理が可能であることや、複数の色画像形成ユニットに同時に画像を書き込むことができることから高い生産性を実現することが可能であった。近年、印刷の分野でいわゆるデジタル化が進みコンピュータ内のデータから直接画像を得る要求が強まっているが、上述のような理由によって、ハロゲン化銀感光材料がこの分野で有利に使われ始めている。
【０００５】
プルーフとしては、事前に刷り上りを予測したり、印刷時の色調の確認を行うためのいわゆる内校用途と、印刷発注者に対し刷り上り見本として用いる外校用用途がある。特に、外校用途においては色調やレイアウトだけではなく、印刷結果のシミュレーションとして質感や風合いに関しても近似していることが求められており、ハロゲン化銀感光材料においても光沢度などの更なる品揃えが望まれている。
【０００６】
印刷物に使用される用紙は、上質紙、アート紙、コート紙等のように、用途に応じて種々のものが存在し、その表面性状によって、質感やインキの乗りが異なるため、さらに印刷用インクも多種存在し、それぞれ仕上がり感が異なっている。
【０００７】
下記特許文献１は、印刷物ターゲットに応じて乱数の標準偏差を修正し、階調画像からの網点展開時に適用することによって印刷用紙のざらつき感を再現する印刷プルーフ作成方法を開示する。下記特許文献２は、特許文献１の方法に紙のテクスチャ感再現を画像処理的に付与する印刷プルーフの作成方法を開示する。これらの従来技術は、低解像度のプリンタでプルーフにおいてざらつき感を再現することが主な目的である。
【特許文献１】特開平０８−２１４１５７号公報
【特許文献２】特開平０９−２７０９３０号公報
【発明の開示】
【発明が解決しようとする課題】
【０００８】
上記特許文献１，２の印刷プルーフ作成方法は、印刷用の網点画積率データをビットマップ展開する際に用いる閾値データに乱数要素を作用させることによってざらつき感を調整するものであり、この方法によって各種の印刷物に近似したざらつき感やむら感を再現することが可能であるとしている。しかし、この場合、印刷画像の情報として網点画積率データ（すなわち階調画像）が必要であり、網点化済みのデータに対応することができないため、印刷物の仕上がりに最も影響を与える網点形状を再現できず、検版性を維持することができない。
【０００９】
本発明は、上述のような従来技術の問題に鑑み、全体の色味を変化させることなく、ざらつき度合いを所望のレベルに調整可能な画像形成方法、画像形成装置、プルーフ作成方法、プルーフ作成装置及び画像形成プログラムを提供することを目的とする。
【課題を解決するための手段】
【００１０】
上記目的を達成するために、本発明による画像形成方法は、２値のビットマップデータに基づいて画像形成を行う画像形成方法において、各ドットの画像形成条件に所定の確率で変動を加えて濃度の高い変動点と濃度の低い変動点を形成し、前記濃度の高い変動点の個数Ｘと前記濃度の低い変動点の個数Ｙとの関係が０．９≦Ｙ／Ｘ≦１．１を満足するように前記変動を加えることを特徴とする。
【００１１】
この画像形成方法によれば、２値のビットマップデータに基づいて画像形成を行う際に、各ドットの画像形成条件に所定の確率で変動を加えて濃度の高い変動点と濃度の低い変動点を形成することで、画像形成物に印刷物のざらつき感を付与することができるとともに、濃度の高い変動点の個数Ｘと濃度の低い変動点の個数Ｙとの関係を０．９≦Ｙ／Ｘ≦１．１とすることで、全体の色味が変化しない。
【００１２】
上記画像形成方法において基準の画像形成条件に対する前記濃度の高い変動点の画像形成条件の差分と前記濃度の低い変動点の画像形成条件の差分とがほぼ同一であることが好ましく、印刷物のざらつき感を付与するとともに、全体の色味が変化しない。
【００１３】
また、前記確率及び前記差分の少なくとも一方を変更可能であることで、全体の色味を変化させることなく、印刷物のざらつき度合いを所望のレベルに調整することができる。
【００１４】
また、前記各変動点の濃度は各１段階でよいが、各２段階にそれぞれ設定するようにしてもよい。
【００１５】
また、前記変動点が基準濃度部に対して面積比率で１０％乃至３０％の割合で画像全面にほぼ均一に分布するように前記変動点を発生させることが好ましい。
【００１６】
また、前記変動をＣＭＹＫ等の複数版の内の少なくとも２版について行うことで、画像形成物において印刷物のざらつき感を付与すること及び全体の色味が変化しないことの上記効果を得ることができる。
【００１７】
本発明による画像形成装置は、２値のビットマップデータに基づいて画像形成を行う画像形成装置において、各ドットの画像形成条件に所定の確率で変動を加えて濃度の高い変動点と濃度の低い変動点を形成し、前記濃度の高い変動点の個数Ｘと前記濃度の低い変動点の個数Ｙとの関係が０．９≦Ｙ／Ｘ≦１．１を満足するように前記変動を加えることを特徴とする。
【００１８】
この画像形成装置によれば、２値のビットマップデータに基づいて画像形成を行う際に、各ドットの画像形成条件に所定の確率で変動を加えて濃度の高い変動点と濃度の低い変動点を形成することで、画像形成物に印刷物のざらつき感を付与することができるとともに、濃度の高い変動点の個数Ｘと濃度の低い変動点の個数Ｙとの関係を０．９≦Ｙ／Ｘ≦１．１とすることで、全体の色味が変化しない。
【００１９】
上記画像形成装置において基準の画像形成条件に対する前記濃度の高い変動点の画像形成条件の差分と前記濃度の低い変動点の画像形成条件の差分とがほぼ同一であることが好ましく、印刷物のざらつき感を付与するとともに、全体の色味が変化しない。
【００２０】
また、前記確率及び前記差分の少なくとも一方を変更可能であることで、全体の色味を変化させることなく、印刷物のざらつき度合いを所望のレベルに調整することができる。
【００２１】
また、前記各変動点の濃度は各１段階でよいが、各２段階にそれぞれ設定するようにしてもよい。
【００２２】
また、前記変動点が基準濃度部に対して面積比率で１０％乃至３０％の割合で画像全面にほぼ均一に分布するように前記変動点を発生させることが好ましい。
【００２３】
また、前記変動をＣＭＹＫ等の複数版の内の少なくとも２版について行うことで、画像形成物において印刷物のざらつき感を付与すること及び全体の色味が変化しないことの上記効果を得ることができる。
【００２４】
本発明によるプルーフ作成方法は、２値のビットマップデータに基づいて画像形成を行うことで印刷物のプルーフを作成するプルーフ作成方法であって、各ドットの画像形成条件に一定の確率で変動を加えて濃度の高い変動点と濃度の低い変動点を形成し、前記濃度の高い変動点の個数Ｘと前記濃度の低い変動点の個数Ｙとの関係が０．９≦Ｙ／Ｘ≦１．１を満足するように前記変動を加えることを特徴とする。
【００２５】
このプルーフ作成方法によれば、２値のビットマップデータに基づいて画像形成を行うことで印刷物のプルーフを作成する際に、各ドットの画像形成条件に所定の確率で変動を加えて濃度の高い変動点と濃度の低い変動点を形成することで、プルーフに印刷物のざらつき感を付与することができるとともに、濃度の高い変動点の個数Ｘと濃度の低い変動点の個数Ｙとの関係を０．９≦Ｙ／Ｘ≦１．１とすることで、プルーフ全体の色味が変化しない。
【００２６】
上記プルーフ作成方法において基準の画像形成条件に対する前記濃度の高い変動点の画像形成条件の差分と前記濃度の低い変動点の画像形成条件の差分とがほぼ同一であることが好ましく、プルーフにおいて印刷物のざらつき感を付与するとともに、全体の色味が変化しない。
【００２７】
また、前記確率及び前記差分の少なくとも一方を変えることで前記プルーフに前記印刷物の印刷用紙の種類に対応したざらつき感を付与することにより、プルーフにおいて全体の色味を変化させることなく、印刷物のざらつき度合いを所望のレベルに調整することができる。
【００２８】
本発明によるプルーフ作成装置は、２値のビットマップデータに基づいて画像形成を行うことで印刷物のプルーフを作成するプルーフ作成装置であって、各ドットの画像形成条件に一定の確率で変動を加えて濃度の高い変動点と濃度の低い変動点を形成し、前記濃度の高い変動点の個数Ｘと前記濃度の低い変動点の個数Ｙとの関係が０．９≦Ｙ／Ｘ≦１．１を満足するように前記変動を加えることを特徴とする。
【００２９】
このプルーフ作成装置によれば、２値のビットマップデータに基づいて画像形成を行うことで印刷物のプルーフを作成する際に、各ドットの画像形成条件に所定の確率で変動を加えて濃度の高い変動点と濃度の低い変動点を形成することで、プルーフに印刷物のざらつき感を付与することができるとともに、濃度の高い変動点の個数Ｘと濃度の低い変動点の個数Ｙとの関係を０．９≦Ｙ／Ｘ≦１．１とすることで、プルーフ全体の色味が変化しない。
【００３０】
上記プルーフ作成装置において基準の画像形成条件に対する前記濃度の高い変動点の画像形成条件の差分と前記濃度の低い変動点の画像形成条件の差分とがほぼ同一であることが好ましく、プルーフにおいて印刷物のざらつき感を付与するとともに、全体の色味が変化しない。
【００３１】
また、前記確率及び前記差分の少なくとも一方を変えることで前記プルーフに前記印刷物の印刷用紙の種類に対応したざらつき感を付与することにより、プルーフにおいて全体の色味を変化させることなく、印刷物のざらつき度合いを所望のレベルに調整することができる。
【００３２】
本発明よる画像形成プログラムは、上述の画像形成方法をコンピュータに実行させるためのものである。これにより、コンピュータによる制御の下で２値のビットマップデータに基づいて画像形成を行う際に、各ドットの画像形成条件に所定の確率で変動を加えて濃度の高い変動点と濃度の低い変動点を形成することで、画像形成物に印刷物のざらつき感を付与することができるとともに、濃度の高い変動点の個数Ｘと濃度の低い変動点の個数Ｙとの関係を０．９≦Ｙ／Ｘ≦１．１とすることで、全体の色味が変化しない。
【発明の効果】
【００３３】
本発明の画像形成方法、画像形成装置、プルーフ作成方法、プルーフ作成装置及び画像形成プログラムによれば、全体の色味を変化させることなく、画像形成物・プルーフにおけるざらつき度合いを所望のレベルに調整することができる。
【発明を実施するための最良の形態】
【００３４】
以下、本発明を実施するための最良の形態について図面を用いて説明する。
【００３５】
〈第１の実施の形態〉
【００３６】
図１は第１の実施の形態によるプルーフ作成装置の要部を概略的に示すブロック図である。
【００３７】
本実施の形態によるプルーフ作成装置は、印刷物の仕上がりを事前に確認するプルーフを作成する際に、色調変化や専用のビットマップ展開を必要とせずにプルーフにおいて印刷物のざらつきを再現可能としたものである。
【００３８】
図１に示すように、本実施の形態のプルーフ作成装置１０は、外部からＹ（イエロー）、Ｍ（マゼンダ）、Ｃ（シアン）、Ｋ（墨）等の各版の２値のビットマップデータ（網点画像データ）が入力するデータＩ／Ｆ部２１と、データＩ／Ｆ部２１からの２値ビットマップデータをいったん記憶し随時出力するハードディスク記憶装置等からなるデータバッファ２２と、データバッファ２２からの２値ビットマップデータに対し光源駆動値を切り換え対応づけて感光紙に対する露光のための露光データとする露光量切換部２３と、露光量切換部２３からのＢ（Blue）、Ｇ（Green）、Ｒ（Red）の各露光データのデジタル信号をアナログ信号に変換し、ＢＧＲの各光源を駆動しハロゲン化銀感光材料からなる感光紙に露光する露光部１１と、露光された感光紙を現像して画像を可視像化する現像部１２と、中央演算処理装置（ＣＰＵ）等から構成されて装置全体を制御する制御部２０と、を備える。
【００３９】
また、プルーフ作成装置１０は、ランダムドットを所定の確率で発生させるランダムドット生成部２４と、ランダムドット生成部２４で生成されたランダムドットに対する露光量を増減する露光量増減部２５と、を備える。ランダムドット生成部２４は、２種のランダムドット群（第１及び第２のランダムドット部）を生成し、露光量増減部２５は、第１のランダムドット部について露光量を減らして濃度を低くし、第２のランダムドット部について露光量を増やして濃度を高くするように制御する。
【００４０】
また、ランダムドット生成部２４でのランダムドットの発生頻度（確率）は、第２のランダムドット部における露光量を増やすドット（濃度の高い変動点）の個数Ｘと第１のランダムドット部における露光量を減らすドット（濃度の低い変動点）の個数Ｙとの関係が０．９≦Ｙ／Ｘ≦１．１を満足するように設定される。この場合、ランダムドットは基準濃度部に対して面積比率で１０％乃至３０％の割合で画像全面にほぼ均一に分布するように発生を制御されることが好ましい。かかる発生頻度（確率）は、予め制御部２０に設定しておくが、プルーフ作成の度に印刷用紙の種類等に応じて設定変更が可能である。
【００４１】
また、露光量増減部２５での露光量の増減量に関し、第２のランダムドット部における露光量の増量と、第１のランダムドット部における露光量の減量とは、増減しない元の露光量に対する各差分の絶対値がほぼ同一となるように設定されている。かかる露光量の増減量は、予め制御部２０に設定しておくが、プルーフ作成の度に印刷用紙の種類等に応じて設定変更が可能である。
【００４２】
次に、図１の露光量切換部２３と露光量増減部２５の具体例、図１の基準濃度テーブル２６及びカラーコレクションテーブル２７について図２，図３，図４を参照して説明する。
【００４３】
図２は図１の基準濃度テーブルの例を示す図である。図３は図１のカラーコレクションテーブルの例を示す図である。図４は図１の露光量切換部２３と露光量増減部２５の具体例である露光ルックアップテーブル（ＬＵＴ）の例を示す図である。
【００４４】
制御部２０は、露光ルックアップテーブル（ＬＵＴ）、基準濃度テーブル２６及びカラーコレクションテーブル２７をメモリに設定し保存する。基準濃度テーブル２６は、感光紙における発色濃度に対するＹＭＣの各光量のテーブルであり、記録材料の特性を記憶するもので、例えば感光紙のロットや種類が変わる度に変更され、露光ＬＵＴで光源駆動値を補正する。例えば、図２のように、感光紙における発色濃度（statusＴ濃度値の１００倍で表している。）に対しＹ（Ｂ光量）、Ｍ（Ｒ光量）、Ｃ（Ｇ光量）の各光量が最大光量を４０００階調に均等分割し、１〜４０００のレベルで定義されている。
【００４５】
カラーコレクションテーブル２７は、刷版インキの色等の印刷条件に合わせて色を調整するためのテーブルであり、刷版インキ等の印刷条件が変わる度に変更され、露光ＬＵＴで光源駆動値を補正する。例えば、図３のように、各色（ＹＭＣＢＧＲＫＧｙＷＳ１Ｓ２）及び各色の組み合わせについてＹ濃度、Ｍ濃度、Ｃ濃度が図２と同様のstatusＴ濃度値の１００倍で表されて定義されている。なお、Ｇｙは灰色、Ｗは白色、Ｓ１、Ｓ２は特色である。
【００４６】
図４に例示した露光ルックアップテーブル（露光ＬＵＴ）は、図１の露光量切換部２３と露光量増減部２５の具体例であり、入力した２値ビットマップデータに基づいて、各色（ＹＭＣＢＧＲＫ）、各色の組み合わせの１５色及び白色（露光量ゼロ）それぞれに対し、ＲＧＢの各光源駆動値（各発光強度）を設定することで露光量を切り替えて出力し、このとき、露光ＬＵＴから出力する光源駆動値は、ランダムドット生成部２４で生成された第１のランダムドット部及び第２のランダムドット部に対し露光量増減部２５で設定したような露光量の減量または増量が加味されるようになっている。なお、図４に例示の露光ＬＵＴでは特色Ｓ１，Ｓ２に関するデータが省略されており、また、各光源駆動値（各発光強度）を相対値で示している。
【００４７】
次に、上記ランダムドット部における露光量の増減について図５，図６を参照して説明する。図５は図１のプルーフ作成装置に入力する２値ビットマップデータの画像中の網点の一部分を拡大して模式的に示す図であり、各升目は画像形成単位である１ドットに対応する。図６は図５の２値ビットマップデータに基づいて画像形成された網点のベタ部の一部分を模式的に示す図（ａ）及び一部（ランダムドット部）の露光量を増減して画像形成された網点の一部分を模式的に示す図（ｂ）である。
【００４８】
例えば、図５のようなＣ版の２値ビットマップデータ（「１」（オン）で発色、「０」（オフ）で非発色）が図４の露光ＬＵＴに入力したとき、ランダムドットの発生及び露光量の増減を行わない場合には、露光ＬＵＴから出力した光源駆動値により形成された網点は、図６（ａ）のようなベタ画像であり、濃度均一でありざらつき感がないのに対し、例えば、ランダムドット生成部２４で第１のランダムドット部及び第２のランダムドット部を約１０％の確率で生成し、露光量（ベタ部を形成する露光量）の−２０％の減量及び＋２０％の増量を行うと、露光ＬＵＴから出力した光源駆動値により形成された網点には、図６（ｂ）のように、濃度が低い複数のドットｄ２と、濃度が高い複数のドットｄ１とが形成される。この場合、ドットｄ１と、ドットｄ２の各個数は同じである。
【００４９】
上述のように、図６（ｂ）のようにベタ画像に濃度が高い複数のドットｄ１と濃度が低い複数のドットｄ２とが一定の確率でほぼ同数個形成されることで、プルーフに印刷物のざらつき感を付与することができるとともに、プルーフにおいてマクロ視野での発色レベルが相殺され、見た目の色調に変化がなく、全体の色味が変化しない。
【００５０】
次に、図１のプルーフ作成装置１０におけるプルーフ作成の動作について図７，図８のフローチャートを参照して説明する。
【００５１】
まず、図７のように、外部から網点処理された２値ビットマップデータが図１のプルーフ作成装置１０のデータＩ／Ｆ２１に入力し（Ｓ０１）、データバッファ２２で２値ビットマップデータをいったん記憶し随時出力し、この２値ビットマップデータに基づいてベタ画像に対する露光量が図４のような露光ＬＵＴで決定されるが（Ｓ０２）、プルーフに印刷物のざらつき感を付与する場合には（Ｓ０３）、一定の確率でドットの露光量を増減する（Ｓ０４）。
【００５２】
すなわち、図８のように、ランダムドットを２種同じ確率で発生させ、第１のランダムドット部と第２のランダムドット部とを生成し（Ｓ１１）、第１のランダムドット部の露光量を減らし（Ｓ１２）、第２のランダムドット部の露光量を増やし（Ｓ１３）、第１のランダムドット部と第２のランダムドット部とが重複している場合には（Ｓ１４）、その重複したドットの露光量は変えずに（Ｓ１５）、第１及び第２のランダムドット部の露光量の増減量を決定し（Ｓ１６）、図４のような露光ＬＵＴが設定される。
【００５３】
図７に戻り、データバッファ２２から入力した２値ビットマップデータに基づいて露光ＬＵＴから出力した露光データにより露光部１１でＢＧＲの各光源を駆動し感光紙に露光することで画像形成を行う（Ｓ０５）。そして、露光された感光紙を現像処理することで画像を可視像化し（Ｓ０６）、プルーフとして出力する（Ｓ０７）。
【００５４】
以上のように、本実施の形態のハロゲン化銀感光材料からなる感光紙に光源から露光して画像形成を行うプルーフ作成装置１０によれば、画像を構成する各ドットにおいて露光量を増やして濃度の高い複数のドットと露光量を減らして濃度の低い複数のドットとを同じ割合で発生させることで、マクロ的な濃度や網％を変化させず全体の色味を変えることなく、出力物（プルーフ）の画像に対し印刷物に対応したざらつき感を付与することができる。
【００５５】
従来、ハロゲン化銀感光材料を用いたプルーフ作成装置は、印刷物と同等の再現を目的としているが、印刷用紙の繊維感や印刷物に特有のインキの微細な濃度むら等に起因するざらつき感の再現ができておらず、プルーフが印刷物と比較して滑らか過ぎるという評価があり、このざらつき感の再現が求められているところ、本実施の形態のように、感光紙に対する露光時に、一定の確率で露光量を振幅（増減）させることで高光量（高濃度）ドットと低光量（低濃度）ドットとを形成し、高濃度ドットと低濃度ドットとが全体濃度を相殺するため、機械的にざらつき感をつくり出すことが可能となる。また、ランダムドットの発生確率・露光量の振幅（増減量）を変化させることで、全体の色味を変化させることなく、ざらつき度合いを所望のレベルに調整することができる。
【００５６】
なお、ノイズドットを付加してざらつき感を加えることが考えられるが、この場合には、ベタ部分にざらつき感を発生させることができず、更に全体的にはドットが付加されるため、網％が増加することになってしまい、プルーフとしての検版性が低下してしまう。また、ノイズドットを抜く（白にする）ことでベタ部分にもざらつき感を発生させることができるが、濃度も低下し、網％も変化してしまい、プルーフとしての検版性が低下してしまう。
【００５７】
次に、本実施の形態によるプルーフ作成装置を含む印刷システムにおけるフローについて図９，図１０を参照して説明する。図９は、本実施の形態によるプルーフ作成装置を含む印刷システムにおけるフローの第１の例を示す図である。図１０は、本実施の形態によるプルーフ作成装置を含む印刷システムにおけるフローの第２の例を示す図である。
【００５８】
図９の第１の例は、印刷工場におけるＰＳ(PostScript)データ等の元画像データを画像処理装置であるＲＩＰ(Raster Image Processor)でラスター・イメージに変換処理（RIP処理）し、そのデジタルデータ(Ripped Data)を用いて、プルーフ用ドットゲイン(Dot Gain)カーブによりRIP処理（網点化処理）を行って得た網点画像データ（１ビット−ＴＩＦＦ）により図１のプルーフ作成装置でプルーフを出力し本印刷物の色調・風合いを再現する一方、ＣＴＰ（コンピュータツウプレート）用ドットゲイン(Dot Gain)カーブにより網点化処理を行って得た網点画像データ（ＣＴＰ−１ビット）により直接印刷用の原版であるＣＴＰ版を作成し、このＣＴＰ版で本印刷を行うものであり、一般的なフローである。
【００５９】
また、図１０の第２の例は、第１の例と同じく元画像データから得たデジタルデータ(Ripped Data)を用いてＣＴＰ用ドットゲインカーブにより網点化処理を行って網点画像データ（ＣＴＰ−１ビット）を得てから、この網点画像データ（ＣＴＰ−１ビット）について網点濃度可変処理（例えば、網点の境界画素の濃度を変えてドットゲインの調整を行う）で得た網点画像データにより図１のプルーフ作成装置でプルーフを出力し本印刷物の色調・風合いを再現する一方、その網点画像データ（ＣＴＰ−１ビット）により直接印刷用の原版であるＣＴＰ版を作成し、このＣＴＰ版で本印刷を行うものである。
【００６０】
本実施の形態によるプルーフに本印刷物のざらつき感を付与するプルーフ作成方法は、図９の一般的フローによるプルーフ及び図１０の網点濃度可変処理によるプルーフのいずれに対しても適用可能である。
【００６１】
２値のビットマップデータに基づいて画像形成を行う場合、通常は、ざらつき感を加えることは不可能であり、このため、上記特許文献１，２では１ビットデータに対する処理ではなく、スクリーニング（網点発生）時に網％を振動させる処理を行っているが、本実施の形態では、スクリーニング済み（網点化済み）のデータを取り扱うことができ、スクリーニング済みのデータにざらつき感を発生できるので、プルーフへのざらつき感（質感）の付与及びプルーフによる検版性を両立させることができる。
【００６２】
〈第２の実施の形態〉
【００６３】
図１１は第２の実施の形態によるプルーフ作成装置の要部を概略的に示すブロック図である。
【００６４】
第２の実施の形態によるプルーフ作成装置３０は、画像形成を行うためインクを記録紙に吐出するインクヘッド３５を有するインクジェット記録装置を用いたものであり、２値のビットマップデータが入力するデータＩ／Ｆ部３１と、データＩ／Ｆ部３１からの２値ビットマップデータをいったん記憶し随時出力するハードディスク記憶装置等からなるデータバッファ３２と、データバッファ３２からの２値ビットマップデータからインクヘッド３５の駆動信号データに変換するための変換部３３と、変換部３３からの駆動信号データに基づいてインクヘッド３５の駆動信号を発生するヘッド駆動部３４と、中央演算処理装置（ＣＰＵ）等から構成されて装置全体を制御する制御部４０と、を備える。
【００６５】
インクヘッド３５は、例えばピエゾ素子からなる公知のノズル構成を有し、ヘッド駆動部３４からピエゾ素子に印加する駆動電圧を制御することにより、吐出量を変えながらインクを吐出することで画像形成を行うことができる。
【００６６】
また、プルーフ作成装置３０は、ランダムドットを所定の確率で発生させるランダムドット生成部３６と、ランダムドット生成部３６で生成されたランダムドットに対するインクの吐出量を増減する吐出量増減部３７と、を備える。ランダムドット生成部３６は、２種のランダムドット群（第１及び第２のランダムドット部）を生成し、吐出量増減部３７は、第１のランダムドット部についてインクの吐出量を減らして濃度を低くし、第２のランダムドット部についてインクの吐出量を増やして濃度を高くするように制御する。
【００６７】
また、図１の場合と同様に、ランダムドット生成部３６でのランダムドットの発生頻度（確率）は、第２のランダムドット部における吐出量を増やすドット（濃度の高い変動点）の個数Ｘと第１のランダムドット部における吐出量を減らすドット（濃度の低い変動点）の個数Ｙとの関係が０．９≦Ｙ／Ｘ≦１．１を満足するように設定される。この場合、ランダムドットは基準濃度部に対して面積比率で１０％乃至３０％の割合で画像全面にほぼ均一に分布するように発生を制御されることが好ましい。かかる発生頻度（確率）は、予め制御部４０に設定しておくが、プルーフ作成の度に印刷用紙の種類等に応じて設定変更が可能である。
【００６８】
また、吐出量増減部３７での吐出量の増減量に関し、第１のランダムドット部における吐出量の減量と、第２のランダムドット部における吐出量の増量とは、増減しない元の吐出量に対する各差分の絶対値がほぼ同一となるように設定されている。かかる吐出量の増減量は、予め制御部４０に設定しておくが、プルーフ作成の度に印刷用紙の種類等に応じて設定変更が可能である。
【００６９】
制御部４０は、変換部３３のためのルックアップテーブル（ＬＵＴ）をメモリに設定し保存し、変換部３３は、入力した２値ビットマップデータに基づいて、ＹＭＣＫ等の各色のインクそれぞれに対し、各インクの吐出量に対応した駆動信号を設定することで吐出量を切り替える。このとき、変換部３３から出力する駆動信号は、ランダムドット生成部３６で生成された第１のランダムドット部及び第２のランダムドット部に対し吐出量増減部３７で設定した吐出量の減量または増量に対応する駆動信号が加味されている。
【００７０】
例えば、入力した２値ビットマップデータが図６（ａ）と同様のベタ画像である場合、このベタ画像は濃度均一でありざらつき感がないが、図６（ｂ）と同様に、インク吐出量を増やして濃度が高い複数のドットｄ１と、インク吐出量を減らして濃度が低い複数のドットｄ２が形成され、ドットｄ１と、ドットｄ２の各個数は同じである。このように、ベタ画像に濃度が高い複数のドットｄ１と濃度が低い複数のドットｄ２とが一定の確率でほぼ同数個形成されることで、プルーフに印刷物のざらつき感を付与することができるとともに、プルーフにおいてマクロ視野での発色レベルが相殺され、見た目の色調に変化がなく、全体の色味が変化しない。
【００７１】
次に、図１１のプルーフ作成装置３０におけるプルーフ作成の動作について図１２，図１３のフローチャートを参照して説明する。
【００７２】
まず、図７のように、外部から網点処理された２値ビットマップデータが図１１のプルーフ作成装置３０のデータＩ／Ｆ３１に入力し（Ｓ２１）、データバッファ３２で２値ビットマップデータをいったん記憶し随時出力し、この２値ビットマップデータに基づいてベタ画像に対するインク吐出量が決定されるが（Ｓ２２）、プルーフに印刷物のざらつき感を付与する場合には（Ｓ２３）、一定の確率でドットのインク吐出量を増減する（Ｓ２４）。
【００７３】
すなわち、図１３のように、ランダムドットを２種同じ確率で発生させ、第１のランダムドット部と第２のランダムドット部とを生成し（Ｓ３１）、第１のランダムドット部のインク吐出量を減らし（Ｓ３２）、第２のランダムドット部の吐出量を増やし（Ｓ３３）、第１のランダムドット部と第２のランダムドット部とが重複している場合には（Ｓ３４）、その重複したドットのインク吐出量は変えずに（Ｓ３５）、第１及び第２のランダムドット部の吐出量の増減量を決定し（Ｓ３６）、変換部３３でＬＵＴが設定される。
【００７４】
図１２に戻り、データバッファ３２から入力した２値ビットマップデータに基づいて変換部３３から出力した駆動信号データによりヘッド駆動部３４を介してインクヘッド３５を駆動し感光紙に各インクを吐出することで画像形成を行い（Ｓ２５）。プルーフとして出力する（Ｓ２６）。
【００７５】
以上のように、本実施の形態のインクヘッドからのインクの吐出により画像形成を行うプルーフ作成装置３０によれば、画像を構成する各ドットにおいてインク吐出量を増やして濃度の高い複数のドットとインク吐出量を減らして濃度の低い複数のドットとを同じ割合で発生させることで、マクロ的な濃度や網％を変化させず全体の色味を変えることなく、出力物（プルーフ）の画像に対し印刷物に対応したざらつき感を付与することができ、第１の実施の形態と同様の効果を奏することができる。
【００７６】
また、本実施の形態によるプルーフに本印刷物のざらつき感を付与するプルーフ作成方法は、第１の実施の形態と同様に、図９の一般的フローによるプルーフ及び図１０の網点濃度可変処理によるプルーフのいずれに対しても適用可能である。
【００７７】
なお、上述の図７，図８のフローの各ステップ及び図１２，図１３のフローの各ステップを行うために各プルーフ作成装置１０，３０の記憶装置等にプログラムが格納されており、起動時に読み出されたプログラムに従って制御部２０，４０による制御が実行され、必要な各情報処理が行われるようになっている。
【実施例】
【００７８】
次に、本発明を実施例により更に具体的に説明するが、本発明はこれらの実施例に限定されるものではない。なお、実施例Ａは第１の実施の形態に対応し、実施例Ｂは第２の実施の形態に対応するものである。
【００７９】
〈実施例Ａ〉
【００８０】
ハロゲン化銀感光材料を用いるプルーフ作成装置としてDigital Konsensus Proシステム（コニカミノルタエムジー製）及び感光材料としてDK5-110PM（コニカミノルタエムジー製）を準備した。画像データとしてＩＴ８．７チャート、高精細カラーデジタル標準画像データ（ISO/JIS-SCID）のＮ１（ポートレート）、Ｎ３（果物かご）、Ｎ４（ワインと食器）、Ｎ７（ミュージシャン）を含む画像を用意し、ターゲット印刷物を準備した。また、ターゲット印刷物の作成に際しては、印刷用紙をコート紙（王子製紙（株）製OKトップコート＋104.7g/m2）、マット紙（王子製紙（株）製ニューエイジ104.7g/m2）、上質紙（日本製紙（株）製しらおい104.7g/m2）に指定し、その他の印刷条件は標準的なＣＭＹＫ４色印刷のものとした。
【００８１】
コート紙、マット紙、上質紙それぞれのＣＭＹＫベタ掛け合わせ１５色のベタおよび白地をGretagMacbeth社製Spectrolinoを用い、測定条件Ｄ５０、２度視野で測定し、Colorcontrol-CC（コニカミノルタエムジー製）を用いて各露光条件を決定した。
【００８２】
印刷物作成時のＣＴＰ版用データと同じ網点化済みの２値データ（CTP-1bitデータ）を用い、コニカミノルタエムジー製ドットチューナーによって色調調整を行い、各印刷物とほぼ近似した色調のプルーフの比較試料１０１（コート紙）、２０１（マット紙）、３０１（上質紙）を作成し、比較例１，２，３とした。
【００８３】
次に、プルーフ作成装置（Digital Konsensus Proシステム）の露光制御部を変更し、それぞれ２５％の確率でランダムにドットを発生させて第１のランダムドット部（ＲＤ１）と第２のランダムドット部（ＲＤ２）を生成するランダムドット生成機構と、第１のランダムドット部（ＲＤ１）において所定の露光量を２０％減、第２のランダムドット部（ＲＤ２）において所定の露光量を２０％増を行うように図４のような露光ＬＵＴを含む露光量増減機構を追加した。なお、ランダムドットの発生過程において第１のランダムドット部と第２のランダムドット部の発生が重なった場合には、ランダムドットが発生していない箇所と同じ露光量とした。
【００８４】
上記のランダムドットによる露光量制御処理をＣＭＹＫの各版に適用した以外は、比較試料１０１、２０１、３０１と全く同じ条件でプルーフの試料１０２、２０２，３０２を作成し、実施例１，２，３とした。
【００８５】
また、マット紙及び上質紙について、第１のランダムドット部（ＲＤ１）において所定の露光量を３０％減、第２のランダムドット部（ＲＤ２）において所定の露光量を３０％増を行う以外は、実施例２，３と全く同じ条件でプルーフの試料２０３，３０３を作成し、実施例４，５とした。
【００８６】
また、マット紙及び上質紙について、第１のランダムドット部（ＲＤ１）において所定の露光量を４０％減、第２のランダムドット部（ＲＤ２）において所定の露光量を４０％増を行う以外は、実施例２，３と全く同じ条件でプルーフの試料２０４，３０４を作成し、実施例６，７とした。
【００８７】
また、上質紙について、第１のランダムドット部（ＲＤ１）において所定の露光量を５０％減、第２のランダムドット部（ＲＤ２）において所定の露光量を５０％増を行う以外は、実施例３と全く同じ条件でプルーフの試料３０５を作成し、実施例８とした。
【００８８】
また、第２のランダムドット部（ＲＤ２）のドット発生確率を２０％とした以外は、実施例１，２，３と全く同じ条件でプルーフの比較試料１０３，２０５，３０６を作成し、比較例４，５，６とした。
【００８９】
更に、第１のランダムドット部（ＲＤ１）のドット発生確率を２０％とした以外は、実施例１，２，３と全く同じ条件でプルーフの比較試料１０４，２０６，３０７を作成し、比較例７，８，９とした。
【００９０】
以上のようにランダムドットの発生確率、露光量制御の変化量、適用対象版を変えた実施例１〜８及び比較例１〜９をまとめて次の表１に示す。
【００９１】
【表１】
2007310278.tif 000003
【００９２】
表１のように得られた各プルーフの試料・比較試料を用い、印刷物との質感に関して目視評価を行った。目視評価に際しては、業務上色調整作業の経験者１０名を対象とし、サンプル内容を明示せずに観察を行い、印刷物と同等の質感の場合を評価点５、明らかに滑らかでプリンタ出力物の印象が強い場合を評価点１とした５段階の評価点を主観にて付与し、集計して、最終的に１０名の平均点を評価点とした。次の表２にその評価結果を示す。
【００９３】
【表２】
2007310278.tif 000004
【００９４】
表２から分かるとおり、本発明の露光量増減制御を行うことでプルーフにおいて印刷物の質感を近似させることができた。また、マット紙に関する実施例２，４，６では実施例４が最適な質感となっており、また、上質紙に関する実施例３，５，７，８では実施例８が最適な質感となっていることから、ターゲット（印刷用紙）の質感に応じてプルーフ側の露光条件を設定することが可能であることが好ましいことが分かる。
【００９５】
また、比較例４，５，６，７，８，９については濃度の高いドットと低いドットの発生数に差異があるために、全体の画像における色調が変化してしまい、プルーフとしての価値を損じており、プルーフとしての利用には色調の再調整が必要になり、好ましくない態様であることが分かる。
【００９６】
〈実施例Ｂ〉
【００９７】
０．１〜３ｐｌのマルチサイズドットを2400×2400ｄｐｉの解像度で出射できるピエゾタイプのインクジェットノズルを装着したインクジェット記録装置に顔料カラーインクを装填し、ＹＭＣＫの各色を独立して制御可能な画像出力環境を準備した。ここで、ｄｐｉとは２．５４ｃｍ当たりのドット数を表す。このインクジェット記録装置でベタ画像を作成する最適な吐出量は、概ね１ｐｌであった。
【００９８】
このインクジェット記録装置に適したプリンタドライバを準備し、インクジェット専用紙に画像出力できる環境を整え、印刷物作成時と同じ網点化装置を使用することによって、実施例Ａで作成したコート紙印刷物と同じ網種を用い、CMYK−C'M'Y'K’デバイスリンクプロファイルを適用して、近似した色調を持つプルーフの比較試料４０１を作成し、比較例１０とした。
【００９９】
次に、インクジェット記録装置用のプリンタドライバを変更し、画像出力中に２０％の頻度で２種のランダムドット（ＲＤ−１，ＲＤ−２）を発生させ、ＲＤ−１とインク吐出ドットが重なった時には各出射該当色の吐出量を３割減し、ＲＤ−２とインク吐出ドットが重なった時には各出射該当色の吐出量を３割増するように吐出量増減制御を行い、プルーフの試料４０２を作成し、実施例９とした。
【０１００】
また、Ｃインク吐出時とＭインク吐出時に実施例９と同様に２種のランダムドット（ＲＤ−１，ＲＤ−２）を発生させて吐出量増減制御を行い、Ｙインク吐出時とＫインク吐出時には上記吐出量増減の制御を行わず（比較例１０と同様の出力）、プルーフの試料４０３を作成し、実施例１０とした。
【０１０１】
更に、Ｃインク吐出時とＭインク吐出時とＹインク吐出時に実施例９と同様に２種のランダムドット（ＲＤ−１，ＲＤ−２）を発生させて吐出量増減制御を行い、Ｋインク吐出時には上記吐出量増減の制御を行わず（比較例１０と同様の出力）、プルーフの試料４０４を作成し、実施例１１とした。なお、各実施例９，１０，１１においてＲＤ−１とＲＤ−２が重なったときには、そのドットの吐出量は通常の吐出量である１ｐｌとした。
【０１０２】
得られた比較試料４０１（比較例１０）、試料４０２、４０３，４０４（実施例９，１０，１１）をターゲットであるコート紙印刷物と比較観察し、実施例Ａと同様の評価を行った。その評価結果を次の表３に示す。
【０１０３】
【表３】
2007310278.tif 000005
【０１０４】
表３から分かるとおり、インクジェット方式においても本発明の吐出量増減制御を行うことでプルーフにおいて印刷物の質感を近似させることができた。特に、実施例９の試料４０２では明らかに印刷物に近似した質感（ざらつき感）を備えており、かつ、比較試料４０１と試料４０２の色調がほとんど変わることなく印刷物に近似した質感を得られていることが分かった。
【０１０５】
また、実施例９，１０，１１を比較すると、本発明の吐出量増減制御は、ＣＭＹＫの４版に実施することが最も好ましいが、２版または３版のみに処理を適用した場合においても、印刷物の質感（ざらつき感）付与の効果を得ることができることが分かった。
【０１０６】
以上のように本発明を実施するための最良の形態及び実施例について説明したが、本発明はこれらに限定されるものではなく、本発明の技術的思想の範囲内で各種の変形が可能である。例えば、本印刷に用いる印刷用紙に起因にする質感（ざらつき感）の再現性を向上させるために、プルーフにおいてランダムドットの発生確率及び濃度の減量・増量の差分の少なくとも一方を変えることが好ましく、例えば、ざらつき感の大きい上質紙やマット紙については、発生確率や濃度の差分を大きくすることが好ましい。
【０１０７】
また、本発明による露光量増減制御・吐出量増減制御を適用する色版は、本印刷の画像や印刷用紙等の条件に応じて適宜決定することが好ましい。
【０１０８】
また、本発明のプルーフ作成方法を実行可能な装置としては、図１のようなハロゲン化銀感光材料を用いた露光方式や図１１のようなインクジェット方式以外の装置であってもよく、例えば、昇華型・溶融熱転写方式や電子写真方式であってもよい。
【図面の簡単な説明】
【０１０９】
【図１】第１の実施の形態によるプルーフ作成装置の要部を概略的に示すブロック図である。
【図２】図１の基準濃度テーブルの例を示す図である。
【図３】図１のカラーコレクションテーブルの例を示す図である。
【図４】図１の露光量切換部２３と露光量増減部２５の具体例である露光ルックアップテーブル（ＬＵＴ）の例を示す図である。
【図５】図１のプルーフ作成装置に入力する２値ビットマップデータの画像中の網点の一部分を拡大して模式的に示す図である。
【図６】図５の２値ビットマップデータに基づいて画像形成された網点のベタ部の一部分を模式的に示す図（ａ）及び一部（ランダムドット部）の露光量を増減して画像形成された網点の一部分を模式的に示す図（ｂ）である。
【図７】図１のプルーフ作成装置１０におけるプルーフ作成動作を説明するためのフローチャートである。
【図８】図７の露光量増減のステップを説明するためのフローチャートである。
【図９】本実施の形態によるプルーフ作成装置を含む印刷システムにおけるフローの第１の例を示す図である。
【図１０】本実施の形態によるプルーフ作成装置を含む印刷システムにおけるフローの第２の例を示す図である。
【図１１】第２の実施の形態によるプルーフ作成装置の要部を概略的に示すブロック図である。
【図１２】図１１のプルーフ作成装置３０におけるプルーフ作成動作を説明するためのフローチャートである。
【図１３】図１２の吐出量増減のステップを説明するためのフローチャートである。
【符号の説明】
【０１１０】
１０ プルーフ作成装置
１１ 露光部
１２ 現像部
２０ 制御部
２３ 露光量切換部
２４ ランダムドット生成部
２５ 露光量増減部
３０ プルーフ作成装置
３３ 変換部
３４ ヘッド駆動部
３５ インクヘッド
３６ ランダムドット生成部
３７ 吐出量増減部
４０ 制御部
【図１】
2007310278.tif 000006
【図２】
2007310278.tif 000007
【図３】
2007310278.tif 000008
【図４】
2007310278.tif 000009
【図５】
2007310278.tif 000010
【図７】
2007310278.tif 000011
【図８】
2007310278.tif 000012
【図９】
2007310278.tif 000013
【図１０】
2007310278.tif 000014
【図１１】
2007310278.tif 000015
【図１２】
2007310278.tif 000016
【図１３】
2007310278.tif 000017
【図６】
2007310278.tif 000018